(57)【要約】【課題】ＣＰＵを保つヒートシンクの側壁のスライドを防止する固定機構組立体を提供する。【解決手段】本発明はヒートシンクの側壁のスライドを防止する固定機構組立体であって、前記組立体によってヒートシンクを固定し、前記組立体が固定モジュールと一対のクリップを有する。前記固定モジュールの相対の側壁には二つの係合部があり、前記係合部と前記クリップがヒートシンクを固定モジュールに固定させる。前記固定モジュールのすべての側壁の内側には、それぞれ仕切り部があって、前記仕切り部は二つの部分を有し、前記仕切り部と相対の側壁の内壁面が結合される所に隙間が設けられ、前記隙間にヒートシンクの側壁のスライドを防止する弾性部品が収納される。前記弾性部品は押圧部とリード部を有する。前記ヒートシンクは前記リードによって前記固定モジュールに取り付けられ、前記押圧部はヒートシンクに押される。【選択図】　　　図１
2004040086.tif 000002
【特許請求の範囲】
【請求項１】
ヒートシンクを固定し且つ側壁のスライドを防止する固定機構組立体であって、
四つの側壁を有して、前記相対的な二つの側壁に少なくとも一つの係合部がそれぞれ設けられ、少なくとも隣接の側壁の内側にそれぞれ弾性部品が設けられ、前記弾性部品は押圧部材とリード部を有し、前記ヒートシンクが前記リード部によって前記固定モジュールに取り付けられ、前記押圧部が前記ヒートシンクに押される固定組立体モジュールと、
前記固定モジュールの係合部と係合することができ、前記ヒートシンクを固定させる少なくとも一つのクリップと、
を備えていることを特徴とするヒートシンクの側壁のスライドを防止する固定機構組立体。
【請求項２】
前記固定モジュールが正方形フレームであることを特徴とする請求項１に記載のヒートシンクの側壁のスライドを防止する固定機構組立体。
【請求項３】
前記固定モジュールの隣接の側壁の内側にそれぞれ少なくとも一つの仕切り部が設けられていることを特徴とする請求項１に記載のヒートシンク側壁のスライドを防止する固定機構組立体。
【請求項４】
前記固定モジュールの仕切り部が側壁と一体とされていることを特徴とする請求項３に記載のヒートシンクの側壁のスライドを防止する固定機構組立体。
【請求項５】
前記固定モジュールの仕切り部は二つの部分からなり、これらの二つの部分の間には一定の距離があることを特徴とする請求項３に記載のヒートシンクの側壁のスライドを防止する固定機構組立体。
【請求項６】
前記仕切り部の二つの部分の相対辺と側壁の内側の結合部位には隙間があることを特徴とする請求項５に記載のヒートシンクの側壁のスライドを防止する固定機構組立体。
【請求項７】
前記リード部は前記押圧部の頂端から外側に向かって傾斜して延出するように形成されていることを特徴とする請求項１に記載のヒートシンクの側壁のスライドを防止する固定機構組立体。
【請求項８】
前記弾性部品は、さらに二つの弾性アームを有し、前記弾性アームは前記押圧部の両側を外側に向かって傾斜して延出するように形成されていることを特徴とする請求項７に記載のヒートシンクの側壁のスライドを防止する固定機構組立体。
【請求項９】
前記の二つの弾性アームはそれぞれ外に向かって延出して挟み部を形成し、前記隙間に挟まれることを特徴とする請求項８に記載のヒートシンクの側壁のスライドを防止する固定機構組立体。
【請求項１０】
前記クリップは長形であることを特徴とする請求項１に記載のヒートシンク側壁のスライドを防止する固定機構組立体。
【請求項１１】
前記クリップは押し部分と、押し部分から延出されているアームと、前記アームの端部のラッチからなっていることを特徴とする請求項１０に記載のヒートシンク側壁のスライドを防止する固定機構組立体。
【請求項１２】
さらに前記クリップはカムと前記カムから延出されているレバーを有していることを特徴とする請求項１１に記載のヒートシンクの側壁のスライドを防止する固定機構組立体。
【請求項１３】
前記クリップのカムは押し部分に設けられていることを特徴とする請求項１２に記載のヒートシンクの側壁のスライドを防止する固定機構組立体。
【請求項１４】
ヒートシンクを固定することに使われる固定ダイセットであって、
中央に貫通穴があるベースプレートと、
前記ベースプレートの縁から垂直に上に向かって延出するように形成されている四側壁と、
少なくとも二つの隣接する側壁の内側に設けられている少なくとも二つの弾性部品と、
を備えていることを特徴とする固定モジュール。
【請求項１５】
前記ベースプレートの四角には、それぞれ固定穴が設けられていることを特徴とする請求項１４に記載の固定モジュール。
【請求項１６】
前記側壁の二対の相対の側壁には、それぞれ少なくとも一つの係合部が設けられていることを特徴とする請求項１４に記載の固定モジュール。
【請求項１７】
少なくとも二つの隣接する側壁の内側には、それぞれ少なくとも一つの仕切り部が設けられていることを特徴とする請求項１４に記載の固定モジュール。
【請求項１８】
側壁の仕切り部と側壁は一体であることを特徴とする請求項１７に記載の固定モジュール。
【請求項１９】
側壁の仕切り部には二つの部分があって、これらの二つの部分の間には一定の距離があることを特徴とする請求項１７に記載の固定モジュール。
【請求項２０】
前記側壁の仕切り部の二つの部分の相対の辺と側壁の内壁面とが接する所に隙間が形成されていることを特徴とする請求項１９に記載の固定モジュール。
【請求項２１】
前記弾性部品は押圧部とリード部を有することを特徴とする請求項１４に記載の固定モジュール。
【請求項２２】
前記リード部は前記押圧部の上端を外側に向かって傾斜して延出するように形成されていることを特徴とする請求項２１に記載の固定モジュール。
【請求項２３】
前記弾性部品には、さらに弾性アームが二つあって、前記弾性アームは前記押圧部の両側から外側に向かって傾斜して延出するように形成されていることを特徴とする請求項２１に記載の固定モジュール。
【請求項２４】
前記弾性部品の二つの弾性アームはそれぞれ外に向かって延出して固定部が形成され、前記隙間の中に固定されることを特徴とする請求項２３に記載の固定モジュール。
【発明の詳細な説明】
【０００１】
【発明の属する技術分野】
本発明はヒートシンクの側壁のスライドを防止する固定機構組立体に関し、特にヒートシンクの側壁のスライドを防止する能力を有効に高めことができ、ＣＰＵを保つヒートシンクの側壁のスライドを防止する固定機構組立体に関するものである。
【０００２】
【従来の技術】
電子産業と情報技術が発展するのに従って電子装置の情報処理の能力も高くなり、電子部品の集積化の程度も高くなり、相応の発する熱量も多くなり、従って電子装置を正常に動作させるために、通常はＣＰＵにヒートシンクを固定する方法により、ＣＰＵが発する熱を外に発散して、ＣＰＵを冷却させる。
【０００３】
【発明が解決しようとする課題】
通常、ＣＰＵとヒートシンクの固定方法はクリップでヒートシンクをＣＰＵの表面に固定させる（例えば、台湾特許公告４７４５５３号と５６５８６号）。この固定方法はヒートシンクを垂直な方向に固定させる能力だけがあって、側向の大きいショックに抵抗する能力は弱く、側向の大きいショックを受けると、ヒートシンクは基板上を滑ることになる。ＬＧＡ（Ｌａｎｄ　Ｇｒｉｄ　Ａｒｒａｙ）ＣＰＵにとって、ＣＰＵとコネクタは複数の弾性部品によって結ばれていて、ヒートシンクの基板上での滑りが非常に大きくなると、ＣＰＵとコネクタの弾性部品を分離させることになり、ＣＰＵが正常に動作できないことになる。ＰＧＡ（Ｐｉｎ　Ｇｒｉｄ　Ａｒｒａｙ）ＣＰＵにとって、ＣＰＵとコネクタは複数のピン状端子によって結ばれていて、一定のヒートシンクの側壁のスライドを防止する能力を提供でき、ＣＰＵを保っても、ＣＰＵは接触がよくない可能性もまだあり、電子装置が正常に動作するかどうかに影響する。ヒートシンクの熱量を発散する能力は電子装置が正常に動作するかどうかに大きな影響があり、また、電子装置とＣＰＵの連接の安定性も装置が正常に動作するかどうかの重要な要因である。
【０００４】
従って、ヒートシンクの側壁のスライドを防止する能力を高めることができ、ＣＰＵを順調に動作させ、電子装置を正常に動作させるヒートシンクの固定機構組立体が求められている。
【０００５】
【課題を解決するための手段】
本発明はヒートシンクの側壁のスライドを防止する固定機構組立体であって、前記組立体によってヒートシンクを固定し、前記組立体が固定モジュールと一対のクリップを有する。前記固定モジュールの相対の側壁に二つの係合部があり、前記係合部と前記クリップがヒートシンクを固定モジュールに固定させる。前記固定モジュールのすべての側壁の内側にもそれぞれ仕切り部があって、前記仕切り部が二つの部分を有し、前記仕切り部と相対の側壁の内壁面が結合される所に隙間が設けられ、前記隙間にヒートシンクの側壁のスライドを防止する弾性部品が収納される。前記弾性部品は押圧部とリード部を有する。前記ヒートシンクは前記リードによって前記固定モジュールに取り付けられ、前記押圧部はヒートシンクに押される。
【０００６】
【発明の実施の状態】
図１と図３を共に参照し、本創作はヒートシンクの側壁のスライドを防止する固定機構組立体であって、前記組立体によって、ヒートシンク２を固定し、且つ、固定モジュール１と一対のヒートシンク２の二つの外側に設けられるクリップ３を有する。
【０００７】
前記固定モジュール１はほぼ方形フレームであって、ベースプレート１０と、ベースプレートの縁から上に向かって延出するように形成された四つの垂直側壁１７を有する。前記相対の側壁１７の二つの角端がそれぞれ上に向かって少し伸びていて、側壁１７の角端に係合部１２が設けられている。係合部１２とは、係合穴あるいは凸ブロックである。前記ベースプレート１０の中央には、貫通穴１１が設けられ、前記貫通穴１１によってＣＰＵの固定モジュール４を装置する。前記ベースプレート１０の四角端には、それぞれ固定穴１６が設けられ、前記固定穴１６とねじによって、固定モジュール１が回路基板に固定される。前記四側壁１７の内側壁には、それぞれ仕切り部１３が設けられ、前記仕切り部１３と前記固定モジュール１は一体にされ、または、一定の間隔のある二つの部分に分けられる。前記二つの部分の相対辺と側壁１７の内側の壁面が結合される所に所定の深さの隙間１５が設けられている。
【０００８】
前記固定モジュール１の仕切り部１３と側壁１７の内壁面が形成する隙間１５の内にそれぞれ弾性部品１４を収納し、前記弾性部品１４は方形の押圧部１８を有し、前記押圧部１８の頂端にリード部１９が設けられ、前記リード部１９はヒートシンク２を取り付ける時に、ヒートシンク２の縁の圧力を受け、側壁１７に垂直な分力が形成され、弾性部品１４を縮めさせ、ヒートシンク２を固定モジュール１の中に装置する。
【０００９】
前記押圧部１８の両側がそれぞれ外に向かって伸び、弾性アーム１８２が形成され、前記弾性アーム１８２はいっそう伸び、係合部２０が形成され、前記係合部２０が側壁１７の隙間１５内に係合されることにより、弾性部品１４が固定モジュール１に固定される。前記固定モジュール１の垂直な四側壁１７上の弾性部品１４はヒートシンク２に圧力を加えることにより、ヒートシンク２が固定モジュール１上を滑べるのを防止する。
【００１０】
前記クリップ３は長形であって、水平の押し部３３が設けられ、前記押し部３３の両端は、まず上に向かって傾斜して少し延出し、次に下に向かって垂直に延出してアーム３５が形成され、前記アーム３５の端部にラッチ３４を有し、前記固定モジュール１の係合部１２と係合し、ヒートシンク２を固定させる。前記押し部３３には、カム３１と前記カム３１から延出するレバー３２がある。
【００１１】
取り付ける時には、固定モジュール１を回路基板に固定させ、次にヒートシンクが弾性部品１４のリード部１９により固定モジュール１に入れられ、最後にクリップ３と係合部１２を係合させ、ヒートシンク２を固定モジュール１に固定させる。
【００１２】
前記を総合して、本創作は特許要件を備えているので、法により出願したものである。また、前記の実施の形態は単なる本発明のより良い実施例に過ぎず、本発明の特許請求の範囲を限定するものではないので、本発明の技術に基づきなしうる細部の修正あるいは変更などは、いずれも本発明の特許請求の範囲に属するものとする。
【図面の簡単な説明】
【図１】本発明のヒートシンクの側壁のスライドを防止する固定機構組立体と局部の組立品の立体分解図である。
【図２】ヒートシンクの側壁のスライドを防止する固定機構組立体の固定モジュールの立体分解図である。
【図３】本発明のヒートシンクの側壁のスライドを防止する固定機構組立体と局部の組立品の立体組合図である。
【符号の説明】
１　　固定モジュール
２　　ヒートシンク
３　　クリップ
４　　ＣＰＵの固定モジュール
１０　ベースプレート
１１　貫通穴
１２　係合部
１３　仕切り部
１４　弾性部品
１５　隙間
１６　固定穴
１７　側壁
１８　押し部
１８２　　　　弾性アーム
１９　リード部
２０　係合部
３１　カム
３２　レバー
３３　押し部
３４　ラッチ
３５　アーム
【図１】
2004040086.tif 000003
【図２】
2004040086.tif 000004
【図３】
2004040086.tif 000005